(57)【要約】【課題】  コイルをステータコアの歯部に直接、支障なく巻装しうるようにして、コストの削減を可能にする。【解決手段】  本発明のモータのステータ１は、環状に連続するステータコア本体２ａの内径側に複数の歯部２ｂが突設されているステータコア２と、歯部２ｂに巻装されたコイル３とを備えており、上記ステータコア２が、高抵抗もしくは絶縁性を有する磁性材料により一体に成形され、歯部２ｂの各角部の表面５ｂが湾曲面に形成されている。歯部２ｂの外周面には絶縁材を介さずに直接コイル３の導線が巻回されている。【選択図】図１
2007267522.tif 000002
【特許請求の範囲】
【請求項１】
環状に連続するステータコア本体の内径側にスロットを介して複数の歯部が突設されているステータコアと、上記歯部に巻装されたコイルとを備えたモータのステータにおいて、
上記ステータコアが、高抵抗もしくは絶縁性を有する磁性材料により一体に成形され、該ステータコアの歯部の各角部の表面が湾曲面に形成され、上記歯部の外周面に絶縁材を介さずに直接コイルの導線が巻回されている、ことを特徴とするモータのステータコア。
【請求項２】
請求項１に記載のモータのステータにおいて、
上記コア本体の内周側の角部表面と、上記歯部の先端から周方向両側に張り出す張り出し部のコイル側の角部表面とが湾曲面に形成されていることを特徴とするモータのステータコア。
【発明の詳細な説明】
【技術分野】
【０００１】
本発明は、インナロータ型ブラシレスモータ等のモータのステータに関するものである。
【背景技術】
【０００２】
従来のインナロータ型モータのステータは、環状に連続するステータコアと、このステータコアの内径側に突出する歯部に巻装されたコイルとを備えている。
【０００３】
ステータコアは、磁性鋼板を積層して形成されているものであって、環状のステータコア本体と、このステータコア本体の内周に周方向に沿いスロットを介して等間隔に内径側に突設された複数の歯部とから構成されている。各歯部は、通常、先端側（ロータ側）に周方向両側への張り出し部を有する。
【０００４】
上記ステータコアは、鋼板の積層体からなるため、軸方向端面の周縁に形成される角部がいずれも尖鋭なエッジとなっている。そのステータコアの歯部に直接コイルの導線を巻回すると、導線が歯部の角部に接触して傷ついたり、エナメル被覆が剥がれたりして、絶縁不良となるおそれがある。そのため、従来は、コイルの保護のため、各歯部の外周にはインシュレータが外嵌されるか、あるいは絶縁材が塗布され、その外周に導線が巻回されている（例えば、特許文献１参照）。
【０００５】
しかしながら、上記従来のステータでは、インシュレータ等の絶縁材が必要で、コイルを巻装する前に、インシュレータ等の絶縁材をステータコアの歯部に設けなければならず、このことがステータのコストダウンを図れない一つの要因となっていた。
【特許文献１】特開２００１−１０３７００公報
【発明の開示】
【発明が解決しようとする課題】
【０００６】
本発明は、従来のステータの問題点に鑑み、インシュレータ等の絶縁材なしに、コイルをステータコアの歯部に直接、支障なく巻装しうるようにして、コストの削減を可能にすることを課題とする。
【課題を解決するための手段】
【０００７】
本発明によるモータのステータは、環状に連続するステータコア本体の内径側にスロットを介して複数の歯部が突設されているステータコアと、上記歯部に巻装されたコイルとを備えたモータのステータにおいて、上記ステータコアが、高抵抗もしくは絶縁性を有する磁性材料により一体に成形され、該ステータコアの歯部の各角部の表面が湾曲面に形成され、上記歯部の外周面に絶縁材を介さずに直接コイルの導線が巻回されている、ことを特徴とするものである。
【０００８】
高抵抗もしくは絶縁性を有する磁性材料としては、焼結体としてのフェライトがある。このほか、樹脂をバインダとしてフェライト粉を成形体としたものや、金属磁性粉を絶縁コーティングして得られる粒子をバインダとともに成形体にしたもの等が挙げられる。
【０００９】
上記構成によれば、ステータコアは高抵抗もしくは絶縁性を有し、しかも、歯部の角部表面は湾曲面であるから、歯部の外周に直接、導線を巻回しても、導線が傷ついたり被覆が剥がれたりすることがなく、絶縁不良等の不具合を生じない。また、従来必要であったインシュレータ等の絶縁材を省略することができる。
【００１０】
本発明の好適な実施形態として、上記構成のモータのステータにおいて、さらに、上記コア本体の内周側の角部表面と、上記歯部の先端から周方向両側に張り出す張り出し部のコイル側の角部表面とが湾曲面に形成されていることが望ましい。
【００１１】
このように、歯部の各角部以外に、スロットに臨む角部であるコア本体の内周側の角部、および歯部の先端にある張り出し部のコイル側の角部の表面が湾曲面に形成されていると、スロットを通じて歯部の外周に巻線する際、導線がスロットの周りの角部に接触しても、傷ついたり被覆が剥がれたりするおそれがない。
【発明の効果】
【００１２】
本発明によれば、ステータコアの歯部の外周に、インシュレータ等の絶縁材を介さずに直接、導線を巻回して支障なくコイルを設けることができて、コストの削減が可能になる。また、ステータコアの全体を型により成形できるから、ステータコアの形状選択の自由度が増す。
【発明を実施するための最良の形態】
【００１３】
以下、本発明の最良の実施の形態を、図１ないし図４を参照して説明する。図１は、最良の実施の形態に係るモータのステータの半部の正面図で、コイルは断面して示している。図２は、上記ステータを構成するステータコアの一部の拡大斜視図、図３は、図２の（iii）−（iii）線での断面図、図４は、図２の（iv）−（iv）線での断面図である。
【００１４】
図１に示すように、本実施形態のステータ１は、環状に連続するステータコア２と、このステータコア２の内径側に突出する歯部２ｂに巻装されたコイル３とを備えている。
【００１５】
ステータコア２は、全体がフェライトのような、高抵抗もしくは絶縁性を有する磁性材料からなる成形体であって、環状のステータコア本体２ａと、このステータコア本体２ａの内周に周方向に沿いスロット４を介して等間隔に内径側に突設された複数の歯部２ｂ，２ｂ，…とから構成されている。各歯部２ｂの先端側には周方向両側へ張り出す張り出し部２ｃ，２ｃが一体に設けられている。
【００１６】
ステータコア２の軸方向端面の周縁にできる角部のうち、スロット４に臨む角部の表面は湾曲面に形成されている。すなわち、図２ないし図４に示すように、歯部２ｂの４つの角部の表面５ｂ，５ｂ，…と、ステータコア本体２ａの内周側の角部の表面５ａと、歯部２ｂの先端にある張り出し部２ｃのコイル３側の角部の表面５ｃ，５ｃとがいずれも湾曲面に形成されている。これら湾曲面５ａ，５ｂ，５ｃは、円弧状、楕円円弧状等の凸曲面が望ましいが、一部に平面部分が含まれていてもよい。湾曲面５ａ，５ｂ，５ｃの曲率は、コイル３を構成する導線の線径に応じて設定される。
【００１７】
コイル３の導線は、上記歯部２ｂの外周面に直接接する状態で巻回され、従来のステータにおけるようなインシュレータ等の絶縁材は使用しない。
【００１８】
上記構成において、ステータ１の製造に当たって、ステータコア２の歯部２ｂの外周には、スロット４を通じて直接、導線が巻回されてコイル３が設けられる。コイル３が巻装された状態では、コイル３の最内側の層を形成する導線が歯部２ｂの角部に接触するが、該角部の表面５ｂは湾曲面で、エッジがないから、導線が傷ついたり被覆が剥がれるようなことがない。また、導線の金属部分がステータコア２に接触しても、ステータコア２は、高抵抗もしくは絶縁性を有しているから、短絡、漏電等の不具合は生じない。
【００１９】
また、コイル３の巻装の際、導線がステータコア本体２ａの内周側の角部や、張り出し部２ｃのコイル３側の角部に接触することがあるが、各角部の表面５ｃはいずれも湾曲面で、エッジがないから、傷ついたり被覆が剥がれたりするおそれがない。
【図面の簡単な説明】
【００２０】
【図１】本発明の最良の実施形態に係るモータのステータの半部の正面図で、コイルは断面して示している。
【図２】上記ステータを構成するステータコアの一部の拡大斜視図。
【図３】図２の（iii）−（iii）線での断面図。
【図４】図２の（iv）−（iv）線での断面図。
【符号の説明】
【００２１】
１      ステータ
２      ステータコア
２ａ    ステータコア本体
２ｂ    歯部
２ｃ    張り出し部
３      コイル
５ａ，５ｂ，５ｃ  湾曲面
【図１】
2007267522.tif 000003
【図２】
2007267522.tif 000004
【図３】
2007267522.tif 000005
【図４】
2007267522.tif 000006